(57)【特許請求の範囲】
【請求項１】
ボールを回転軸に保持し、上記ボールを回転可能に取り付けた取付体と、移動可能に上記取付体を固定保持する鋼性部材と、棒状部材の端部に弾性体を取り付けた打撃用具を備え、上記打撃用具をスイングし上記弾性体を上記ボールに当て、上記弾性体の変形により上記スイングを継続でき、上記打撃用具を振り抜くとともに上記ボールの回転具合を視認可能とする事を特徴とする打撃習得装置。
【請求項２】
ボールが野球、テニス又はゴルフ球である請求項１記載の打撃習得装置。
【請求項３】
弾性体が、ネット棒状体、プラスティク又はロープ状部材からなる請求項１記載の打撃習得装置。
【請求項４】
棒状部材が、半円筒状の竹部材である請求項１記載の打撃習得装置。
【請求項５】
鋼性部材は箱状の金属体の内部に水を注水でき、取付体の固定位置と固定角度を可変としてなる請求項１記載の打撃習得装置。
【請求項６】
取付体が、スイートスポット判定可能なスイートスポット判定装置である請求項１記載の打撃習得装置。
【発明の詳細な説明】
【技術分野】
【０００１】本発明は一般家庭の子供達等の初心者の野球やゴルフ、テニス等の打撃の基本スイング習得を図った打撃装置と用具に関する。
【背景技術】
【０００２】今迄の打撃装置は、野球やゴルフ、テニス等の打撃練習が出来ない単独の装置であった。打撃理論上使う用具がそれぞれ違っても身体全体を使った打撃は共通で、又今迄の打撃装置は力に頼るスイングで打撃し非力な子供達には難しく基本スイングの習得に不向であった。打撃が共通していると野球、ゴルフ、テニス等の球技の練習が出来るはずで、今迄多くの子供達が一種類の球技しか練習出来ず可能性をせばめていた。複数の球技の打撃を理解習得すれば最も自分に適した球技を選ぶ事が出来、多くの子供達が将来成功する可能性を高める事が出来る。【０００３】今迄の力でスイングする打撃は力の有効利用がとれずスイートスポットに当てる事が出来ず打撃を難しくしていた。発明者が考えている身体全体を使った打撃理論の原理は〔メリーゴーランドの回転力〕＋〔振る力〕＞今迄の打撃〔振る力〕を基にしたものでこの原理によれば、メリーゴーランドの回転力（体の捻り戻しの力）がプラスされた分だけ打力がアップされ力が要らないためスイングにブレがなくスイートスポットに容易に当てる事が出来る。
【先行技術文献】
【０００４】
【特許文献１】特許第４２９５２７５号公報
【０００５】
【特許文献２】特開２０１１−１９４１２１号公報
【０００６】
【非特許文献１】ビックコミックオリジナル第３８巻第２１号２０１１年８月２０日発売の記事（二宮清純プロ野球選手中島裕之「押し込む」打撃術）
【発明の概要】
【発明が解決しようとする課題】
【０００７】以上に述べた従来の打撃装置では、野球やゴルフ、テニスの打撃理解習得が出来なかった。本発明はこのような従来の構成が有していた問題を解決しようとするものであり、野球やゴルフ、テニス等の基本打撃の理解習得を目的にしたものである。
【課題を解決するための手段】
【０００８】そして本発明は上記目的を達成するために精求項１の記載のとおり、ボールを回転軸に保持し、鋼性部材に回転可能に取り付け、弾性体を取り付けた打撃用具で身体全体を使ってスイングし、上記弾性体をボールに当て上記弾性体の変形により上記スイングを継続でき、上記ボールの回転具合を視認できる。さらに本発明の装置はスイートスポット（ボールの芯）に当てるとボールは回転せず、スイートスポットの上に当たると左回転し、下に当たると右回転する構成とできる。この構成はスイートスポット判定装置としての機能を有し、回転方向が実際にバットで打った時の打球の飛び方を教え上記打撃習得装置を用いると基本スイングの習得を得る。本発明の装置において、ボールは野球、テニス又はゴルフ等を用いることが出来弾性体はネット状棒状部材、プラスティク部材、ロープ状部材、打撃用具の半円筒状の竹部材にテニス用ガットを装置したものを使用でき、鋼性部材は箱状の金属体の内部に水を注水できるものを用い取付体の固定位置を可変としてよい。
【発明の効果】
【０００９】上述したように従来の打撃装置は単独の球技の練習しか出来なかったが、本発明装置は野球やゴルフ、テニス等の打撃習得が出来、応用が多岐に渡り可能である。さらに本発明によれば、身体全体を使った力の要らない基本スイングを習得出来、たとえば野球のピッチィングやボクシングと長い時間競技の継続にも効果的である。【００１０】  打撃練習の目的はボールの芯（スイートスポット）にバットを当てることで、ただ単にボールを打つ事ではない。本発明者は、今迄の打撃装置のボールを強い力で打撃するという発想から真逆の発想で力に頼らない身体全体を使った基本スイングの習得を目標とした打撃装置を提供したものである。本発明によれば打撃時の衝撃を逃がすバネ、おもり等の緩衝装置が要らない構成で、打撃用具である弾性体が変形するためボールに衝撃を与えず、取り付体のボール４は打撃時芯に当たると回転せず、芯をはずすと回転する。この構成はスイートスポット判定装置としての機能を有し、これを視認しながら反復練習すれば容易にボールの芯に当てる事が出来る。【００１１】  従来提案されているバット等の打撃用具をスイングしてボールに当て、ボール自体を移動させる装置では、ボールのスイートスポットに当てたかどうかを視認することは難しい。【００１２】  また、バット等の打撃用具をスイングして固定物タイヤ等に当て打撃の衝撃を固定物に吸収し、ここでスイングを終る従来の練習では、打撃用具を振り抜けず、打撃で大切な振り抜きも含めたフォロースイングの練習が難しい。さらにスイングの始まりは力を入れないのが望ましいが、固定物に当ててスイングが終わるこのやり方ではスイングの始まりに力が入りやすい。
本発明の打撃装置は打撃直前から力をあまり入れずにスイングを開始し、打撃用具の弾性体の変形でボール打撃後もスイングの継続が出来、打撃用具を振り抜く事でフォロー、フィニィシュとスイングを完成出来る。このように本発明の打撃習得装置により多くの非力な人がどこでも安全にボールの芯をとらえる基本スイング習得が可能となる。
【図面の簡単な説明】
【００１３】
【図１】本発明の実施形態を示す打撃習得装置で、本発明の一実施形態（第１実施）の野球用打撃習得装置の全体の概要構成（定状態）を示す図
【図２】打撃用具の態様図
【図３】同装置の鋼性部材の態様図
【図４】同装置のゴルフ用打撃習得装置の態様図
【図５】同装置のテニス用打撃習得装置の態様図
【図６】同装置の野球ボール取付体の平面図
【図７】同装置のゴルフボール取付体の平面図
【図８】同装置のテニスボール取付体の平面図
【図９】打撃用具の野球用弾性体の態様図
【図１０】打撃用具のゴルフ用弾性体の態様図
【図１１】打撃用具のテニス用弾性体の態様図
【図１２】打撃用具の竹部材表の態様図
【図１３】打撃用具の竹部材裏の態様図
【図１４】同装置の野球打撃態様図
【図１５】同装置のゴルフ打撃態様図
【図１６】同装置のテニス打撃態様図
【図１７】野球用打撃用具の第２実施の態様図
【発明を実施するための形態】
【００１４】本発明の球技用（野球、ゴルフ、テニス）打撃習得装置と打撃用具の実施形態を図面に基づいて説明する。
（第１実施例）
図１〜図２は本球用打撃習得装置の一実施形態（第１実施例）を示し野球用打撃習得装置への適用例を示す。なお該装置では縦方向回転打撃の態様を将る。図において図１及び図２は野球用打撃習得装置と打撃用具の全体構成を示し、図３〜図１６は各部分構成を示す。図１に示すように、本実施形能の打撃習得装置は、ボール取付体としてパイプ芯８を野球ボール４の中心に挿入し回転軸ネジ９を通し、フレーム３にナット１０で装置し、野球用取付体とし、鋼性部材１の取り付けナット中部２に、取り付けボルト１２で取り付け、図７のゴルフ用取付体、図８のテニス用取付体に変換可能とする構成である。又取り付け体の取り付け角度を取り付けボルト１２と調整ナット３２で調整可能とする。
【００１５】図２は野球用打撃習得装置のための打撃用具で、ボールが固定されているため棒状部材に弾性変形体を装置する事で打撃を継続可能とする構成である。図に示すように本打撃用具は、棒状部材５に弾性体６をボルト９ワッシャ２０により取り付け穴２２に固定されたものである。なお、竹節を利用しガット穴２３にテニス用ガット７を装置する構成である。
【００１６】図３は鋼性部材に取付体を取り付けるナット２を上部、中部、下部に固定したものであり、鋼性部材をパイプ機構の構成も可能とする。又打撃時の安定を計るため注水穴２１に注水可能とする構成である。
【００１７】図４は本発明の打撃習得装置のゴルフ用打撃習得装置の実施形態を図面に基づいて説明する。図に示すように本実施形態のゴルフ用打撃習得装置の実施形態を図面に基づいて説明する。図に示すように本実施形態のゴルフ用打撃装置は、鋼性部材１の下部取り付けナット２にゴルフボール１４を有した取付体を装置した構成である。又取り付け体の取り付け角度を可変としたものである。
【００１８】図５は本発明の打撃習得装置のテニス用打撃習得装置の実施形態を図面に基づいて説明する。図に示すように本実施形態テニス用打撃装置は、鋼性部材１の上部取り付けナット２にテニスボールスポンジ部材１５を有した取付体を装置した構成である。又取り付け体の取り付け角度を可変としたものである。
【００１９】図６は本発明の打撃習得装置１図の野球用取付体であり、打撃時ボールの芯に当たると回転せずスイートスポットに当てた事が判定でき、芯をはずすと回転する事で取付体がスイートスポット判定装置としての機能を有した構成である。又取付体の打撃目標としてのボール４を、ソフトボールの使用も可能としたものである。
【００２０】図７は本発明の打撃習得装置のゴルフ用取付体であり、上記取付体と同じ構成である。
【００２１】図８は本発明の打撃習得装置のテニス用取付体であり、上記取付体と同じ構成である。
【００２２】図９は本発明の野球用打撃用具の弾性体の態様を示す図で、ネット状ナイロン部材を筒状に巻き棒状に構成し、野球用弾性体６としたものである。
【００２３】図１０は本発明のテニス用打撃用具の弾性体の態様を示す図で網目状プラスティク部材に、取り付け穴２６を有した取り付けプレート２８を装着した構成で、テニス用弾性体１７としたものである。
【００２４】図１１は本発明のゴルフ用打撃用具の弾性体の態様を示す図で、ロープ状部材の一端を一重輪にくくり、取り付け穴２７とし、片方の端を二重輪にくくり、ゴルフ用ヘッド２９とした構成で、ゴルフ用弾性体１６としたものである。
【００２５】図１２は上記打撃用具の半円筒竹部材５の表の態様を示す。
【００２６】図１３は上記打撃用具の半円筒竹部材５の裏の竹ラケットの態様を示す。
竹部材５裏には節２４が有り、ガット穴２３にテニス用ガット７の装着を可能とした構成である。又半円筒裏先端取り付け穴２２に弾性体（野球用６、ゴルフ用１６、テニス用１７）を装置できる構成である。
【００２７】図１４は本発明装置の野球用打撃習得装置のボール４を竹部材５とネット状棒状部材６よりなる野球用打撃用具で打撃した態様を示す図で、図に示すように野球用打撃用具で取付体のボールが回転しないスイートスポットに当てるように身体全体を使ってスイングし打撃時、弾性体６の変形により振り抜くことでフォロー、フィニィシュとスイングを完成させる。又各人の身長差があるため取付体のボールのスイートスポット判定の角度調整が必要で、取り付けボルト１２と調整ナット３２で角度調整可能とし、ソフトボール使用も可能である。
【００２８】図１５は本発明のゴルフ用打撃習得装置のゴルフボール１４をゴルフ用打撃用具（５、１６）で打撃した態用を示す図で、図に示すようにゴルフ用打撃用具で取付体のボールが回転しないスイートスポットに当てるように円心力が働くように身体全体を使ってスイングし打撃時、弾性体の変形により振り抜くことでフォロー、フィニィシュとスイングを完成させる。又上記同様取付体の角度調整と、ソフトボール使用も可能である。
【００２９】図１６は本発明のテニス用打撃習得装置のボール１５をテニス用打撃用具（５、１７）で打撃した態様図で図に示すようにテニス用打撃用具で取付体のボールが回転しないスイートスポットに当てるように身体全体を使って下から上にスイングし打撃時、弾性体の変形により振り抜くことでフォロー、フィニィシュとスイングを完成させる。又上記同様取付体の角度調整と、ソフトボール使用も可能である。
（第２実施例）
【００３０】図１７は本発明の野球用打撃習得装置に対する野球用打撃用具で（第２実施例）を示し、野球用打撃用具の適用例を示す。棒状部材にプラスティク部材１０を使用し野球用弾性体６を装置したもので、ゴルフ用１６、テニス用１７等の弾性体の装置を可能とする構成である。なお該打撃用具は最軽量のため非力な最年少の子供達等の誰もが安全に遊び感覚で楽しくスイングし野球、ゴルフ、テニス等と難かしい打撃が簡単に出来、基本スイングの習得を可能とする。
【産業上の利用可能性】
【００３１】野球、ゴルフ、テニス等の打撃は大人でも大変難かしく、指導、訓練や理論は構築されているが、それを実行体感する事が難かしく、それぞれの競技人口が減り、野球、ゴルフ、打球場へ来る人が減り、打球場の閉鎖が増え、テニススクールも習いに来る人が減っている。それにつながる用具産業も衰退する。そこでこれからの子供達が本発明装置と打撃用具で力が要らない身体を使った正しい基本スイングを習得すれば、それぞれの裾野の人口を増やし打球場が増え用具産業も発展する。又多くの子供達に打撃塾を全国的に展開し、そこにつながる打球場と提携し基本スイングをマスターした子供達を実体験出来る打球場の生徒として訓練し、結果多くの世界で活躍する選手を育てる事が出来る。本発明装置と打撃用具で多くの子供達が貴賤にかかわらず誰でも安全に野球やゴルフ、テニス等の道へ夢と希望を持って進みかなえる事が出来る。【００３２】打撃用具に竹も使用でき、又竹には節が有りその節を利用してテニスのガットが張れる事を発見した。竹は放置竹林として現在は利用が少なく、その利用法が求められている。その一つとして表が竹バット、裏がラケットとして普及出来ると少しでも放置竹林の利用の助けになると考える。
【符号の説明】
【００３３】    １    鋼性部材
２    取り付けナット
３    フレーム
４    野球ボール
５    竹部材
６    ネット状棒状部材
７    テニス用ガット
８    パイプ芯
９    回転軸ネジ
【要約】
【課題】従来の打撃装置は、単一の球技の打撃しか出来なかった。又ボールをバットで打つとボールが飛ぶ、動く等危険で装置が大がかりで複雑、高価なため一般に普及出来なかった。より良い打撃装置がないため大人も含め子供達の球技に対する技術の向上が計れなかった。
【解決手段】本発明打撃装置は、ボールをバットで打って反撥させ飛ばすのではなく、ボールを鋼性部材に固定保持し、スイートスポット判定機能を有した取付付に弾性体を有する打撃用具で力を使わず身体全体を使ってスイングし、弾性体をボールに当て弾性体の変形にて打撃用具の振り抜きを可能にし、ボールの回転具合を視認できスイングの修正を計りながらスイングを反復し基本スイングの理解習得を得る。又取付体のボールをゴルフ球、テニス球等に変えそれに合わせた打撃用具の弾性体を取り付ける事により、野球、ゴルフ、テニス等の基本スイング習得を得る。
【選択図】図１４【図１】
0005257721.tif 000002
【図２】
0005257721.tif 000003
【図３】
0005257721.tif 000004
【図４】
0005257721.tif 000005
【図５】
0005257721.tif 000006
【図６】
0005257721.tif 000007
【図７】
0005257721.tif 000008
【図８】
0005257721.tif 000009
【図９】
0005257721.tif 000010
【図１０】
0005257721.tif 000011
【図１１】
0005257721.tif 000012
【図１２】
0005257721.tif 000013
【図１３】
0005257721.tif 000014
【図１４】
0005257721.tif 000015
【図１５】
0005257721.tif 000016
【図１６】
0005257721.tif 000017
【図１７】
0005257721.tif 000018